(57)【要約】      （修正有）【課題】休息または睡眠時において使用者に酸素を円滑に供給することができる酸素発生用枕を提供する。【解決手段】ゼオライトを使用して高濃度の酸素を生成し排出させる酸素発生部と、枕本体２００とから構成される。枕本体２００には、酸素発生部から発生した酸素の供給を受け、供給された酸素が流動することができるように形成された少なくとも一つ以上の内部の酸素流路２１０ａ、２１０ｂと、酸素流路２１０ａ、２１０ｂに連通され酸素流路２１０ａ、２１０ｂを通じて流動される酸素を表面へ表出させることができるようにする複数の酸素供給孔２２０とが形成されている。【選択図】図２
0003110016.tif 000002
【実用新案登録請求の範囲】
【請求項１】
ゼオライトを使用して高濃度の酸素を生成し排出させる酸素発生手段と、
内部に前記酸素発生手段から発生した酸素の供給を受け供給された酸素が流動することができるように形成された少なくとも一つ以上の酸素流路と、前記酸素流路と連通し前記酸素流路を通じて流動される酸素を表面に表出させることができるように複数の酸素供給孔とが形成された枕本体と
を備えたことを特徴とする酸素発生用枕。
【請求項２】
前記酸素発生手段は、
外部から空気を受け入れる空気吸入手段と、
前記空気吸入手段から流入された空気を圧縮させる真空ポンプと、
前記真空ポンプと連結され、流入された空気の埃と水分をフィルタリングさせ、前記真空ポンプによる空気圧によって発生した騷音を除去させるフィルター手段と、
第１流路と第２流路に各々連結され、空気に含まれた窒素を吸着乃至脱着するゼオライトが充填された第１、第２ゼオライトベッドと、
前記第１流路と第２流路を選択的に開放して、前記フィルター手段からフィルタリングされた空気を、前記第１ゼオライトベッドまたは第２ゼオライトベッドに移送させ、前記第１ゼオライトベッド及び第２ゼオライトベッドのうちのいずれか一つのベッドにて窒素を吸着して高濃度の酸素を排出させるとともに、前記第１ゼオライトベッド及び第２ゼオライトベッドのうちのいずれか一つのベッドにて脱着された窒素を窒素排出口に排出させるソレノイドバルブと、
前記フィルター手段を通過した空気の一部を分岐管によって分岐させ分岐された空気と、前記第１、第２ゼオライトベッドから排出される酸素の濃度が高い空気とを混合し、使用者の制御によって酸素の濃度を使用者が所望の基準濃度に低めて酸素排出口に排出させるオリフィスジョイントと
を備えたことを特徴とする請求項１に記載の酸素発生用枕。
【考案の詳細な説明】
【技術分野】
【０００１】
本考案は酸素発生用枕に関する。特には、ゼオライトを使用して高濃度の酸素を生成し排出させる酸素発生部から発生する酸素を、枕表面に形成された酸素供給孔を通じて排出されるようにし、休息または睡眠時において使用者に酸素を供給するための酸素発生用枕に関する。
【背景技術】
【０００２】
人体には円滑な酸素供給が必要であり、円滑な酸素供給によって人間の肉体的、精神的能力は向上する。
【０００３】
したがって、事務室、事業所、作業場及び車両の室内環境に応じて勤務能率、安全な作業や運転のためには人体に円滑に酸素を供給する必要がある。
【０００４】
最近、自動車媒煙などの大気環境汚染の増加と都心における空気中の酸素濃度減少による現代病などの増加に伴い、人体に酸素濃度の高い新鮮な空気を供給する必要性が増加している。
【０００５】
従来、休息または睡眠時において人体に不足した酸素を供給することができるようにした酸素供給用ベッド及び酸素ベッドがあるが、このような酸素ベッドは構成が複雑で、空間を多く占め、使用時に使用者が息苦しさを感じるようになる等の問題点を有している。
【特許文献１】特開２００４−３２１５２４
【考案の開示】
【考案が解決しようとする課題】
【０００６】
本考案は前記問題点を解決するために案出されたものであって、本考案の目的は、ゼオライトを使用して高濃度の酸素を生成し排出する酸素発生部から発生する酸素を、枕表面に形成された酸素供給孔を通じて排出されるようにし、休息または睡眠時において使用者に酸素を円滑に供給する酸素発生用枕を提供することにある。
【課題を解決するための手段】
【０００７】
前記のような本考案の目的を達成するために、本考案の酸素発生用枕は、ゼオライトを使用して高濃度の酸素を生成し排出させる酸素発生手段と、内部に前記酸素発生手段から発生した酸素の供給を受け供給された酸素が流動することができるように形成された少なくとも一つ以上の酸素流路と、前記酸素流路と連通し前記酸素流路を通じて流動される酸素を表面に表出させることができるようにする複数の酸素供給孔とが形成された枕本体とを備えたことを特徴とする。
【０００８】
前記酸素発生手段は、(1) 外部から空気を受け入れる空気吸入手段と、前記空気吸入手段から流入された空気を圧縮させる真空ポンプと、(2) 前記真空ポンプに連結され、流入された空気の埃と水分をフィルタリングさせ、前記真空ポンプによる空気圧によって発生した騷音を除去させるフィルター手段と、(3) 第１流路と第２流路に各々連結され、空気に含まれた窒素を吸着乃至脱着するゼオライトが充填された第１、第２ゼオライトベッドと、(4) 前記第１流路と第２流路を選択的に開放して前記フィルター手段からフィルタリングされた空気を前記第１ゼオライトベッドまたは第２ゼオライトベッドに移送させ、前記第１ゼオライトベッド及び第２ゼオライトベッドのうちのいずれか一つのベッドで窒素を吸着して高濃度の酸素を排出させるとともに、前記第１ゼオライトベッド及び第２ゼオライトベッドのうちのいずれか一つのベッドで脱着された窒素を窒素排出口に排出させるソレノイドバルブと、(5) 前記フィルター手段を通過した空気の一部を分岐管によって分岐させ分岐された空気と、前記第１、第２ゼオライトベッドから排出される酸素の濃度が高い空気とを混合し、使用者の制御によって酸素の濃度を使用者が所望の基準濃度に低めて酸素排出口に排出させるオリフィスジョイントとを備えたことを特徴とする。
【考案の効果】
【０００９】
本考案の酸素発生用枕は、ゼオライトを使用して高濃度の酸素を生成し排出させる酸素発生部から発生する酸素を枕表面に形成された酸素供給孔を通じて排出されるようにし、休息または睡眠時において使用者に酸素を円滑に供給することができる。
【考案を実施するための最良の形態】
【００１０】
以下、添付した図面を参照して本考案の酸素発生用枕を詳細に説明する。
【００１１】
図１乃至図３に示されているように、本考案の酸素発生用枕は、ゼオライトを使用して高濃度の酸素を生成し排出させる酸素発生部１００と、枕本体２００とから構成される。枕本体２００には、内部に酸素発生部１００から発生した酸素の供給を受け、供給された酸素が流動することができるように形成された少なくとも一つ以上の酸素流路２１０ａ、２１０ｂと、酸素流路２１０ａ、２１０ｂと連通し、酸素流路２１０ａ、２１０ｂを通じて流動される酸素を表面に表出させることができるように複数の酸素供給孔２２０とが形成されている。
【００１２】
図４に示されているように、本考案の酸素発生部１００は、外部から空気を受け入れる空気吸入口１０と、空気吸入口から流入された空気を圧縮させる真空ポンプ２０と、真空ポンプ２０と連結され、流入された空気の埃と水分をフィルタリングさせ、真空ポンプ２０による空気圧によって発生した騷音を除去させるフィルター３０と、第１流路４２と第２流路４４に各々連結され、空気に含まれた窒素を吸着乃至脱着するゼオライトが充填された第１、第２ゼオライトベッド４０ａ、４０ｂと、第１流路４２と第２流路４４を選択的に開放してフィルター３０からフィルタリングされた空気を第１ゼオライトベッド４０ａまたは第２ゼオライトベッド４０ｂに移送させ、第１ゼオライトベッド４０ａ及び第２ゼオライトベッド４０ｂのうちのいずれか一つのベッドで窒素を吸着して高濃度の酸素を排出させるか、第１ゼオライトベッド４０ａ及び第２ゼオライトベッド４０ｂのうちのいずれか一つのベッドで脱着された窒素を窒素排出口に排出させるソレノイドバルブ５０と、フィルター３０を通過した空気の一部を分岐管３２によって分岐させ分岐された空気と、第１、第２ゼオライトベッド４０ａ、４０ｂから排出される酸素の濃度が高い空気とを混合し、使用者の制御によって酸素の濃度を使用者が所望の基準濃度に低くめて酸素排出口に排出させるオリフィスジョイント６０とから構成される。
【００１３】
上記の構成による本考案の酸素発生用枕の動作は次の通りである。
【００１４】
図２及び図３に示されているように、枕本体２００は、酸素発生部１００から発生した酸素の供給を受け、供給された酸素が流動することができるように枕本体２００内部中央に長さ方向に沿って延在形成された酸素流路２１０ａと、内部中央の酸素流路２１０ａを中心にその上部及び下部に枕本体２００の幅方向に沿って延在形成され、長さ方向に沿って相互所定距離が離隔されて配置された複数の酸素流路２１０ｂとが形成されており、酸素流路２１０ｂの一側には枕本体２００の長さ方向に沿って連通路２３０が形成されている。
【００１５】
連通路２３０の一側には酸素発生部１００から発生した酸素の供給を受けるための酸素流入管２４０が形成されており、酸素流路２１０ｂと連通し、酸素流路２１０ａ、２１０ｂを通じて流動される酸素を表面に表出させることができるように枕本体２００表面には複数の酸素供給孔２２０が形成されている。
【００１６】
枕本体２００は使用者が横になった時に形成された使用者の頭部の輪郭に応じて円形のままに支持して血の流れを自然に助けることができる天然ゴムなどで形成することができる。
【００１７】
酸素発生部１００の空気吸入口１０は、本考案の酸素発生装置の外側に備えられ、外部から空気を受け入れる役割をする。空気吸入口１０は、外側にて蓋状に形成されており、人造・合成繊維で作った濾過紙またはフィルターなどで構成され、外部から流入される埃などの不純物や臭いなどを含む各種有害ガスと化学成分を吸着させて除去することができる。フィルター３０は、真空ポンプ２０と連結され、空気をフィルタリングする水分フィルターで構成されて空気中の水分を除去するとともに、真空ポンプ２０による空気圧によって発生する騷音を除去することができるように消音器の役割を兼ねるように構成する。ゼオライトベッド４０ａ、４０ｂは、窒素を吸着する粉末状のゼオライトが充填されてなる。ゼオライトベッド４０ａ、４０ｂに導入される空気の湿度が高ければゼオライトは窒素と吸着せずに水分と吸着されるようになり、高い純度の酸素を発生させることができないため、フィルター３０によって必ず空気中の水分を除去しなければならない。フィルター３０を通じて流入された水分が除去された空気は、外部信号に応じてソレノイドバルブ５０によって経路が選択される。すなわち、ソレノイドバルブ５０は、第１流路４２と第２流路４４を選択的に開放してフィルター３０からフィルタリングされた空気を第１ゼオライトベッド４０ａまたは第２ゼオライトベッド４０ｂに移送させ、第１ゼオライトベッド４０ａ及び第２ゼオライトベッド４０ｂのうちのいずれか一つのベッドで窒素を吸着して高濃度の酸素を排出させるとともに、第１ゼオライトベッド４０ａ及び第２ゼオライトベッド４０ｂのうちのいずれか１つのベッドで脱着された窒素を窒素排出口に排出させる。ソレノイドバルブ５０は、交互的に第１流路４２または第２流路４４を開放させて、二つのゼオライトベッドのうちのいずれか一つのベッドでは高濃度の酸素を排出させ、他のベッドでは窒素を排出させる。オリフィスジョイント６０は、フィルター３０を通過した空気の一部を分岐管３２によって分岐させ分岐された空気と、第１、第２ゼオライトベッド４０ａ、４０ｂから排出される酸素の濃度が高い空気とを混合し、使用者の制御によって酸素の濃度を使用者が所望の基準濃度に低くした上で、酸素排出口を通じて連結ホース２５０を介して枕本体２００の酸素流入管２４０に排出させることができるようにする。
【００１８】
前記のように本考案の酸素発生用枕は酸素発生部１００から発生した酸素を枕本体２００の連通路２３０、酸素流路２１０ａ、２１０ｂを介して枕本体２００表面の酸素供給孔２２０を通じて外部に排出させることによって、使用者は休息または睡眠時において自然に酸素の吸入量が増加して疲労回復が促進され、新陳代謝が円滑に行われて健康を増進させることができる。
【００１９】
本考案の酸素発生用枕は使用者の使用用途に応じて酸素流入口２４０に連結された連結ホース２５０を脱着可能に形成することができる。
【図面の簡単な説明】
【００２０】
【図１】本考案の酸素発生用枕の構成図である。
【図２】図１の本考案の酸素発生用枕の縦断面図である。
【図３】図１の本考案の酸素発生用枕の平断面図である。
【図４】図１の本考案の酸素発生部の構成図である。
【符号の説明】
【００２１】
１００  酸素発生部
２００  枕本体
２１０ａ、２１０ｂ  酸素流路
２２０  酸素供給孔
【図１】
0003110016.tif 000003
【図２】
0003110016.tif 000004
【図３】
0003110016.tif 000005
【図４】
0003110016.tif 000006